(57)【要約】【課題】認識機能を省略して装置の小型化および低コスト化を実現しつつ、現金事故等で現金装填カセットを脱着したとしても、継続して運用可能とするための現金自動取引装置のカセット使用状況表示機構を提供する。【解決手段】現金装填カセット１０を構成するケース１２に形成された表示窓１２ｄと、この表示窓１２ｄを遮蔽するように摺動可能に設けられた摺動板２０と、現金装填カセット１０が現金自動取引装置１に装着された際に、摺動板２０に摺動力を付与する動作手段とを備えており、摺動板２０には、表示窓１２ｄにより視認することが可能となるように、装着前と装着後とを区別する表示マーク２２が付されていて、摺動板２０が動作手段の摺動力により摺動することで表示窓１２ｄから視認される表示マーク２２が切り替わることで、現金装填カセット１０の現金自動取引装置１への装着前または装着後を表示する。【選択図】図４
2009070131.tif 000002
【特許請求の範囲】
【請求項１】
貨幣装填部と前記貨幣装填部を着脱可能に収容する外殻部材とを有する現金装填カセットについて、現金自動取引装置に設けられたカセット装着部への装着前または装着後を表示する現金自動取引装置のカセット使用状況表示機構であって、
前記外殻部材に形成された表示窓と、
前記表示窓を遮蔽するように前記外殻部材の内壁面に沿って摺動可能に設けられた摺動部材と、
前記現金装填カセットが前記現金自動取引装置に装着された際に、前記摺動部材に摺動力を付与する動作手段と、を備えており、
前記摺動部材には、前記表示窓により視認することが可能となるように、装着前と装着後を区別する表示マークが付されていることを特徴とする、現金自動取引装置のカセット使用状況表示機構。
【請求項２】
前記動作手段が、前記カセット装着部に形成された突起部材と、前記突起部材に対応するように前記摺動部材に形成された受け部材と、を有し、
前記外殻部材には、前記突起部材を挿通する貫通孔が形成されていることを特徴とする、請求項１に記載の現金自動取引装置のカセット使用状況表示機構。
【請求項３】
前記動作手段が、前記カセット装着部に固定された第一の磁石と、前記第一の磁石に対応するように前記摺動部材に形成された受け部材と、を有し、
前記受け部材には、前記第一の磁石と同極の面が向き合うように第二の磁石が固定されていることを特徴とする、請求項１に記載の現金自動取引装置のカセット使用状況表示機構。
【請求項４】
前記受け部材が、前記摺動部材とともに摺動することで、前記貨幣装填部の前記外殻部材からの着脱を制御することを特徴とする、請求項２または請求項３に記載の現金自動取引装置のカセット使用状況表示機構。
【発明の詳細な説明】
【技術分野】
【０００１】
本発明は、現金自動取引装置のカセット使用状況表示機構に関するものである。
【背景技術】
【０００２】
従来、現金自動取引装置では、カセットを用いて、取引用準備金を装置外から装置内へカセットごと現金を収納し、その内部に存在する貨幣を、装置が装備している認識・計数機能を用いて１枚ずつ判別計数することで、装置内の現金有高を確定させ、取引運用へ備えるようにすることが一般的に行われている。
【０００３】
また、このような現金自動取引装置は、任意の時点において、装置内へ装填されたカセット内の現金を、装備している認識・計数機能を用いて計数する機能（以下「自動精査機能」という）により再計数を行い、制御部が運用上保持している装填金額と実際に装置内に存在する金額とを一致させる手段を備えている。この手段を備えることで、例えば、取引中に何らかの現金事故が発生し、カセットを装置に着脱する際に、事故前に運用していたカセットとは別のカセットを取り付けることになったとしても、カセットの装填時に自動精査を実施することで、装置内の貨幣の有高を再計数して有高を確定させ、継続して運用することができる（特許文献１参照）。
【特許文献１】特開平７−１２９８１９号公報（段落０００５）
【発明の開示】
【発明が解決しようとする課題】
【０００４】
しかしながら、近年、コンビニエンスストアなどの狭い空間に現金自動取引装置を設置するケースが増えていることから、現金自動取引装置に対して従来の機能や性能を保持しつつ小型化や低コスト化の要求が高まっている。
【０００５】
そこで、機能を出金専用に限定し、入金された貨幣を識別するための認識機能を削除することで、省スペース化および低コスト化を達成することが提案されている。出金専用であれば、運用前に予め計数、装填した現金から出金するだけであり、制御部から指示された金種を指示された金額分出金できればよいため、認識機能を不要にすることができる。
【０００６】
しかしながら、前記のようにして認識機能を削除すると、自動精査機能を有していないため、再計数を行って現金有高を確定させることができない。
従来、この問題を回避する手段として、カセット内の有高管理は、現金装填時における貨幣の枚数にて管理開始として、運用時の運搬および現金自動取引装置への装填運用時を通じて手動では内部の現金へアクセスできないように専用の鍵を設け、この鍵が開けられない限りはカセット内の有高に差異は生じないと決めておくことで運用する場合がある。
【０００７】
このような運用方法により有高管理を行う場合において、カセットの使用状態は２つに区別することができる。一つは規定量の現金が装填されて、未だ出金していない（有高が確定されている）装填済状態であり、もう一つは現金自動取引装置に装着されて運用中の出金状態である。
【０００８】
装填済状態のカセット（以下、単に「装填済カセット」という）は、現金が出金されていないため、収容している有高が確定している。一方、出金状態のカセット（以下、単に「出金カセット」という）は、現金自動取引装置に装着されている限りにおいては、現金自動取引装置側の制御手段等において有高管理させているものの、現金事故等の異常発生時に一旦出金カセットを現金自動取引装置から外してしまうと、この出金カセットの有高は未確定となってしまう虞がある。
【０００９】
現金自動取引装置に事故が発生した場合において、事故の原因がカセットの内部に起因する場合には、復旧にはカセット交換が必須となる。一方、事故の原因がカセット以外の理由による場合には、一旦取り外した出金カセットを再度現金自動取引装置に装着することで復旧させる場合がある。そのため、事故の発生時には、装填済カセットを予め用意した状態で、出金カセットを現金自動取引装置から取り外す場合が多い。
【００１０】
ところが、これらのカセットは、防犯上の理由から内部に現金が入っているか否かが外観からは判断することができないようになっている場合が多い。そのため、事故の復旧時に、出金カセットと装填済カセットとが、外観から判断できないことにより、予定していたカセットとは違うカセットを現金自動取引装置に装着することにより、現金の有高が未確定となり、運用に食い違いが生じてしまう場合がある。
【００１１】
本発明は、現金装填カセットについて、現金自動取引装置への装着前と装着後とを外部から容易に判断することができる、現金自動取引装置のカセット使用状況表示機構を提供することを目的とする。
【課題を解決するための手段】
【００１２】
前記目的を達成するため、本発明は、貨幣装填部と前記貨幣装填部を着脱可能に収容する外殻部材とを有する現金装填カセットについて、現金自動取引装置に設けられたカセット装着部への装着前または装着後を表示する現金自動取引装置のカセット使用状況表示機構であって、前記外殻部材に形成された表示窓と、前記表示窓を遮蔽するように前記外殻部材の内壁面に沿って摺動可能に設けられた摺動部材と、前記現金装填カセットが前記現金自動取引装置に装着された際に、前記摺動部材に摺動力を付与する動作手段と、を備えており、前記摺動部材には、前記表示窓により視認することが可能となるように、装着前と装着後を区別する表示マークが付されていて、前記摺動部材が前記動作手段の摺動力により摺動することで前記表示窓から視認される前記表示マークが切り替わることを特徴とする。
【発明の効果】
【００１３】
本発明の現金自動取引装置のカセット使用状況表示機構によれば、現金装填カセットについて、現金自動取引装置への装着前か装着後かを外部から容易に判断することができる。
【発明を実施するための最良の形態】
【００１４】
＜第１の実施の形態＞
図１は、本発明の好適な実施形態に係る現金自動取引装置の外観を示す斜視図である。なお、本実施形態における現金自動取引装置１は、コンビニエンスストア、スーパーマーケット、駅、金融機関の無人店舗などに設置されるものであり、出金専用として用いられるものである。
【００１５】
図１に示すように、本実施形態の現金自動取引装置１は、筐体としての装置本体２に、表示入力部３、出金口４、カード情報読取部５、印字部６などが設けられ、装置本体２内に、カセット装着部７，７を備えており、複数の現金装填カセット１０，１０が着脱可能に収容されるように設けられている。なお、本実施形態では、現金自動取引装置１に、２種類の現金装填カセット１０が装着される場合について説明するが、現金自動取引装置１に装着される現金装填カセット１０の数は限定されるものではなく、１種類であっても、３種類以上であってもよい。また、現金装填カセット１０に収納される貨幣の金種は、五百円や百円などの硬貨のみであってもよいし、千円、一万円などの紙幣のみであってもよく、あるいは硬貨と紙幣の混在であってもよい。さらに、現金装填カセット１０毎に収容される貨幣は、１種類のみ（例えば、五百円硬貨のみ）であってもよいし、複数（例えば、五百円硬貨と百円硬貨等）であってもよい。
以下の説明では、現金装填カセット１０が、１種類の硬貨を収容している場合を例に挙げて説明する。
【００１６】
前記表示入力部３は、例えば、タッチパネル式のものであり、利用者（出金を行う者）が表示されたメニュー画面にしたがって画面をタッチしながら入力操作を進めることで、出金操作を行うことができるようになっている。
【００１７】
前記出金口４は、払い出された貨幣を取り出す開口部４ａを有し、その開口部４ａにアクチュエータ（図示せず）などで駆動して開閉するシャッタ４ｂが設けられている。また、出金口４の内部には、利用者が貨幣を取り出したことを確認するセンサ（図示せず）などが設けられている。なお、本実施形態の出金口４は、紙幣と硬貨とを取り扱う場合には、内部に設けられた仕切板（図示せず）を介して紙幣と硬貨とを同じ開口部４ａから取り出すようにしてもよく、紙幣と硬貨の出金口を別々に設けてそれぞれの出金口から取り出すようにしてもよい。
【００１８】
前記カード情報読取部５は、顧客情報などが記録された取引カードを受け入れまたは排出するスリット状の挿入部５ａを有し、挿入された取引カードに記録されたデータの読み出しや書き込みを行うようになっている。
【００１９】
前記印字部６は、出金額などの取引内容が印字された明細票などを取り出すスリット状の排出部６ａを有し、感熱紙からなる明細票を用いて、熱転写式のプリンタで印字するように構成されている。なお、本実施形態では、カード情報読取部５の挿入部５ａと印字部６の排出部６ａとを幅方向に間隔を開けて配置したが、挿入部５ａと排出部６ａとを上下に近づけて配置して、利用者が排出された取引カードと明細票とを一緒に抜き出すことができる構成にしてもよい。
【００２０】
前記カセット装着部７は、前側から現金装填カセット１０をスライドさせて挿入することで、現金装填カセット１０を装着するものである。カセット装着部７の後面には、後記する現金装填カセット１０の貫通孔１２ｅ（図２（ａ）参照）に対応する位置に突出ピン（突起部材）３２が一体に形成されている。なお、突出ピン３２の形状や形成箇所等は適宜設定することが可能である。
カセット装着部７は、現金装填カセット１０が装着されることで、現金装填カセット１０と現金自動取引装置１とを連結し、現金装着カセット１０に装填された貨幣の出金が可能となるように構成されている。
【００２１】
図２は、現金装填カセットを示す斜視図であって、（ａ）は開閉扉が閉められた状態、（ｂ）は開閉扉が開いた状態を示している。
【００２２】
現金装填カセット１０は、予め決められた枚数の硬貨を収容するとともに、現金自動取引装置１への硬貨の供給が可能に構成されたホッパー（貨幣装填部）１１と、このホッパー１１を着脱可能に収容する箱型のケース（外殻部材）１２とを有して構成されている。また、現金装填カセット１０は、現金装填カセット１０を現金自動取引装置１に装着した際に、ホッパー１１と現金自動取引装置１の硬貨搬送路８（図４（ａ）参照）とを連結し、ホッパー１１内に収容された硬貨を出金口４（図１参照）までの搬送を可能とするように構成された連結路１３を備えている。
【００２３】
ホッパー１１は、ケース１２内に収容された状態で、現金装填カセット１０が現金自動取引装置１に装着されることで、ホッパー１１の下部または連結路１３の下端に形成された図示しない排出口が開口し、硬貨搬送路８（図４（ａ）参照）に硬貨が流れ込むことが可能に構成されている。また、ホッパー１１の上端面は開口されており、ホッパー１１への貨幣の挿入は、この上端面の開口部から行う。
【００２４】
なお、ホッパー１１は、ケース１２に収容された状態で、ホッパー１１の上端とケース１２との隙間がほとんどなく、ホッパー１１への貨幣の挿入は、ケース１２からホッパー１１を取り外した状態でのみ行うことが可能に構成されている。
ここで、本実施形態では、１つのケース１２に対して１つのホッパー１１が収容されている場合について説明したが、ケース１２が収容するホッパー１１の数は限定されるものではなく、２つ以上のホッパー１１が収容されていてもよい。また、ホッパー１１の形状寸法は限定されるものではなく、現金の収容、出金が可能となるように、適宜設定するものとする。
【００２５】
ケース１２は、ホッパー１１の着脱の際に開閉する開閉扉１２ａを備えているとともに、運搬時に使用する持ち手１２ｂが形成されている。開閉扉１２ａの開閉は、ケース１２の後側面に設けられた専用の鍵１２ｃを使用することにより行なわれる。
また、ケース１２の上面には、後記する表示マーク２２を視認することを可能とする表示窓１２ｄが形成されている。さらに、ケース１２の後面には、カセット装着部７に形成された突出ピン３２（図１参照）の挿通が可能に形成された貫通孔１２ｅが形成されている。
【００２６】
表示窓１２ｄの形状寸法等は限定されるものではなく、表示マーク２２に応じて適宜設定すればよい。
また、貫通孔１２ｅの内径は、突出ピン３２の形状に応じて設定されており、本実施形態では、指等の挿入はできない程度の大きさとする。また、本実施形態では、貫通孔１２ｅを円形に形成するものとしたが、貫通孔１２ｅの形状は限定されるものではない。
【００２７】
ケース１２の形状等は限定されるものではなく、適宜設定すればよい。また、本実施形態では、ケース１２の側面に開閉扉１２ａを設けるものとしたが、例えば、ケース１２の上面に開閉扉が設けられていてもよく、開閉扉の位置や構成等は限定されるものではない。また、ケース１２を構成する材料は限定されるものではないが、防犯上、容易に破壊されることがない強度を有したものにより構成する必要がある。
【００２８】
図３の（ａ）および（ｂ）は、カセット使用状況表示機構の一部を示す斜視図である。
【００２９】
図２および図３に示すように、ケース１２の内面には、表示窓１２ｄを遮蔽するように摺動板（摺動部材）２０が設置されている。摺動板２０は、ケース１２の内壁面に前後方向での摺動が可能となるように設置されている。摺動板２０の設置方法は限定されるものではないが、本実施形態では、図３（ａ）に示すように、ケース１２の内壁面に、下方向に突出した状態で固定された係止部材１２ｆ，１２ｆを、摺動板２０に形成された長穴２１,２１に挿通させた状態で、摺動板２０を係止（吊持）する。長穴２１は、前後方向に長く形成されているため、摺動板２０は、上下左右方向は固定された状態で、前後方向に摺動が可能に設置されている。摺動板２０は、表示窓１２ｄを遮蔽することで、現金装填カセット１０の内部への異物の挿入や貨幣の表示窓１２ｄからの取り出しを防止している。なお、本実施形態では、二つの係止部材１２ｆ，１２ｆにより、２箇所で摺動板２０を係止するものとしたが、摺動板２０を係止する箇所数は限定されるものではない。また、本実施形態では摺動部材として板状の部材を使用するものとしたが、摺動部材の形状は限定されるものではない。
【００３０】
図３（ａ）および（ｂ）に示すように、長穴２１には、摺動板２１が前側に移動した後に、後側に移動することを防止するための突部２１ａが形成されている。この突部２１ａにより、摺動板２０が前側に移動すると、係止部材１２ｆが突部２１ａにより長穴２１の後端部に係止されるため、一旦前側に移動した摺動板２０が後側に摺動することが防止される。なお、突部２１ａは、必要に応じて形成されるものであって、省略してもよい。
【００３１】
摺動板２０には、図２および図３に示すように、動作手段の一部であるレバー（受け部材）３１が、摺動板２０の後側端部から下方向に垂れ下がった状態で貫通孔１２ｅに対応する位置に形成されている。
また、摺動板２０の上面（表示窓１２ｄ側の表面）には、現金装填カセット１０の現金自動取引装置１への装着前の状態を示す「装填」の表示マーク２２ａと、装填後の状態を示す「出金」の表示マーク２２ｂが表記されており、表示窓１２ｄからは、いずれか一方の表示マーク２２の視認が可能に構成されている。
【００３２】
現金自動取引装置１のカセット装着部７には、図１に示すように、摺動板２０に摺動力を付与するための動作手段の一部である突出ピン３２が固定されている。突出ピン３２は、現金自動取引装置１に現金装填カセット１０が装着された際に、貫通孔１２ｅを挿通して摺動板２０を所望の位置まで移動させることができるように、必要な長さを有して形成されているとともに、レバー（受け部材）３１に対応する位置に形成されている。
【００３３】
このように、第１の実施形態に係る現金自動取引装置のカセット使用状況表示機構は、表示窓１２ｄ、摺動板２０、レバー３１および突出ピン３２を主要素として、現金装填カセット１０の使用状態を、ケース１２の開閉扉１２ａを空けることなく確認することを可能とするものである。
【００３４】
次に、カセット使用状況表示機構の動作について、説明する。ここで、図４は現金自動取引装置への現金装填カセットの装着時の状況を示す図であって、（ａ）は縦断面図、（ｂ）は平面図である。また、図５は現金自動取引装置に現金装填カセットが装着された状況を示す図であって、（ａ）は縦断面図、（ｂ）は平面図である。さらに、図６は現金取引装置から現金装填カセットを取り外した状況を示す図であって、（ａ）は縦断面図、（ｂ）は平面図である。
【００３５】
現金装填カセット１０への貨幣の供給は、図２（ｂ）に示すように、作業者が開閉扉１２ａを開けて、レバー３１を後ろ方向に移動させることで、ホッパー１１とレバー３１とが左右に重ならないようにした後、ホッパー１１をケース１２から取り出すことで行う。
摺動板２０が移動させられることで、表示窓１２の表示マーク２２は、「出金（表示マーク２２ｂ）」から「装填（表示マーク２２ａ）」に変更される。この表示マーク２２により、作業者は、現金装填カセット１０が所定枚数の貨幣が収容された装填済カセット１０ａ（図２（ａ）参照）であることを把握することができる。
【００３６】
装填済カセット１０ａは、現金自動取引装置１に装填されるために運搬される際にも、表示窓１２ｄには、装填済であることを示す表示マーク２２ａとして、「装填」と表示されている。また、このとき、レバー３１は、図４（ａ）に示すように、ホッパー１１よりも後側に配置されている。
【００３７】
図４（ａ）に示すように、装填済カセット１０ａの現金自動取引装置１への装着は、装填済カセット１０ａを現金自動取引装置１が備えるトレー１ａに上載させた状態で、トレー１ａを現金自動取引装置１の前方からカセット装着部７にスライド移動させることで行う。
【００３８】
図５（ａ）および（ｂ）に示すように、トレー１ａに上載させた状態で、装填済カセット１０ａを現金自動取引装置１の前方から押し込むことにより、装填済カセット１０ａは  カセット装着部７に装着される。
【００３９】
トレー１ａに上載された装填済カセット１０ａをカセット装着部７方向（後方向）に押し込むと、カセット装着部７に形成された突出ピン３２が貫通孔１２ｅを貫通してレバー３１に当接する。
そして、さらに装填済カセット１０ａを押し込むことにより、固定された突出ピン３２によりレバー３１に前方向の押圧力が付与される。レバー３１は摺動板２０に一体に形成されているため、この押圧力が摺動板２０に付与される摺動力となり、摺動板２０が前方向に摺動する。
【００４０】
摺動板２０は、図３（ｂ）に示すように、レバー３１および突出ピン３２からなる動作手段により付与される摺動力により前方向に摺動し、表示窓１２ｄの表示は、「装填（表示マーク２２ａ）」から現金自動取引装置１に装着済みであることを示す「出金（表示マーク２２ｂ）」に変更される。これにより、現金自動取引装置１に装着された現金装填カセット１０は、出金カセット１０ｂとしての表示となる。
【００４１】
また、摺動板２０の移動により、係止部材１２ｆが、摺動板２０の長穴２１に形成された突部２１ａを越えて、長穴２１の後端部に配置される。これにより、摺動板２０は、表示窓１２ｄの表示マーク２２が「出金」となった状態で固定される。そのため、ケース１２の内部のホッパー１１の内部を確認しなくても、現金装填カセット１０が、現金自動取引装置１に装着された後のものであることが確認できる。
【００４２】
また、図５（ａ）に示すように、レバー３１は、突出ピン３２により摺動板２０とともに前方向に押し込まれて、ホッパー１１と重なる位置に配置される。
【００４３】
図６（ａ）および（ｂ）に示すように、摺動板２０は、表示窓１２ｄから視認可能な表示が「出金」（表示マーク２２ｂ）の状態で固定されているため、現金自動取引装置１から取り出した後も、表示窓１２ｄの表示は「出金」（表示マーク２２ｂ）のままである。
【００４４】
また、レバー３１の位置も、図６（ａ）および（ｂ）に示すように、ホッパー１１と重なった位置に固定されている。
そのため、レバー３１が邪魔となり、作業者がレバー３１を後側に移動させることにより摺動板２０を元の位置に戻さないと、ケース１２からのホッパー１１の脱着を行うことができない。つまり、レバー３１が前後に移動することによって、ホッパー１１のケースからの着脱を制御している。そして、この摺動板２０およびレバー３１の移動に伴い、表示窓１２ｄの表示マーク２２が切り替えられる。故に、本実施形態にかかるカセット使用状態表示機構は、運用の中での必然的動作によって、現金装填カセットの使用状態を示す表示マーク２２が切り替わるものである。
【００４５】
以上、第１の実施形態によれば、摺動板２０が突出ピン３２とレバー３１により作用する摺動力により摺動することで、表示窓１２ｄから視認される表示マーク２２が切り替わるカセット使用状況表示機構が設けられているため、現金装填カセット１０の使用状況が容易に判別できる。そのため、装填済カセット１０ａと出金カセット１０ｂとを取り違うことがなく、有高を適格に把握することが可能となる。
また、現金自動取引装置１の異常発生後の復旧時に、一旦取り外した出金カセット１０ｂを現金自動取引装置１内に差し戻すときにも、出金カセット１０ｂをそのまま装填して使用する場合や、復旧用として新規に運搬してきた装填済カセット１０ａを装填する場合において、現金装填カセット１０の取り違いを防止できる。
また、このような使用状況の表示（表示マーク２２）の切り替えに電気的機構を必要としないため、経済的である。
【００４６】
故に、従来の現金装填カセットが備えていた硬貨有高認識機能を取り外すことで、現金自動取引装置１の小型化（省スペース化）および低コスト化を実現しつつ、現金装填カセット１０の使用状況を、外部から容易に判別することが可能となり、補充・回収時に現金装填カセット１０を取り違うことを防止し、有高管理を容易に行うことが可能となる。
【００４７】
＜第２の実施形態＞
第２の実施形態に係る現金自動取引装置のカセット使用状況表示機構は、動作手段として、突出ピンを使用しない点で、第１の実施の形態と異なっている。
図７は第２の実施形態に係る現金自動取引装置のカセット使用状況表示機構を示す図であって、（ａ）は現金自動取引装置に現金装填カセットが装着された状況を示す縦断面図、（ｂ）は同平面図である。
【００４８】
図７に示すように、第２の実施形態では、動作手段が、カセット装着部７に固定された第一の磁石３２ａと、第一の磁石３２ａに対応するように摺動板２０に一体に形成されたレバー３１とを有しており、このレバー３１には、第一の磁石３２ａと同極の面が向き合うように第二の磁石３１ａが固定されている。なお、現金装填カセット１０を構成するケース１２は、少なくとも第一の磁石３２ａおよび第二の磁石３２ｂにより挟まれる部分は、磁力線を通すことが可能となるように、金属以外の材料により構成する必要がある。
【００４９】
第２の実施形態にかかるカセット使用状況表示機構は、現金装填カセット１０をカセット装着部７に装着した際に、同極面が向き合うように配置された第一の磁石３２ａと第二の磁石３１ａとが、近づくにつれて互いに反発しあって、離れようとする力が働くため、摺動板２０に前方向の摺動力が付与される。
【００５０】
そして、摺動板２０は、この摺動力により前方向に移動し、表示窓１２ｄにより視認される表示マーク２２が「装填済（表示マーク２２ａ）」から「出金（表示マーク２２ｂ）」に変更される。
また、摺動板２０が移動することにより、レバー３１がホッパー１１と重なる位置に移動する。
【００５１】
この他、第２の実施形態に係る現金自動取引装置のカセット使用状況表示機構の構成は、第１の実施形態で説明した内容と同様なため、詳細な説明は省略する。
【００５２】
以上、第２の実施形態によれば、ケース１２に突出ピンを貫通するための貫通孔を形成する必要がないため、現金装填カセット１０の内部に異物（砂、ゴミ、液体等）が入り込むことが防止される。
この他、第２の実施形態による作用効果は、第１の実施形態で示した内容と同様なため、詳細な説明は省略する。
【００５３】
以上、本発明について、好適な実施の形態を説明した。しかし、本発明は、前記各実施の形態に限られず、前記の各構成要素については、本発明の趣旨を逸脱しない範囲で、適宜設計変更が可能である。
例えば、前記各実施形態では、現金装填カセットの使用状態を示す表示として、日本語（「装填」と「出金」）により示すものとしたが、例えば英語など、他の国の言語により表示してもよい。また、文字により示す変わりに、図８（ａ）に示すように、色などにより確認が可能に構成してもよい。
【００５４】
また、使用状態を利用者が把握することができるようにする観点からすれば、「装填」または「出金」のいずれか一方のみの表示がなされていればよく、この場合において表示窓に表示がない場合は、他方の状態として把握することが可能である。
【００５５】
また、第１の実施形態では、突出ピンをカセット装着部に設け、ケースの内部に設けられたレバーをこの突出ピンにより押し込む構成としたが、摺動板に現金装填カセットの後面の貫通孔から突出するように突出ピンを固定する構成としてもよい。この構成によれば、ケースから突出した状態で設けられた突出ピンが、カセット装着部の内壁面に当接することで摺動板に摺動力を付与することで、摺動板が前方へ移動する。
【００５６】
また、第１の実施形態では、現金装填カセットが現金自動取引装置に装着されていない状態では、貫通孔が開口されているものとしたが、遮蔽扉を貫通孔に設けることで、現金装填カセットが現金自動取引装置に装着されていない状態に貫通孔を遮蔽する構成としてもよい。例えば、貫通孔の上方に配置された蝶番を介して貫通孔に応じた位置に板材（遮蔽扉）を開閉可能に配設してもよい。これにより突出ピンを貫通孔に押し込むことで遮蔽扉が押し上げられるため貫通孔が開口し、突出ピンを引き抜くと重力により遮蔽扉が落下して貫通孔が遮蔽される。そのため、現金装填カセットが現金自動取引装置に装着されていない状態では、貫通孔を遮蔽することが可能となり、貫通孔から異物が入り込むことが防止される。
【００５７】
また、現金装填カセットをカセット装着部に押し込む力を利用して摺動板を移動させるものとしたが、カセット使用状況表示機構の動作手段の構成はこれに限定されるものではない。例えば、図８（ｂ）に示すように、摺動板２０にバネ等の弾性部材３４を連結することで、弾性部材３４の復元力を利用して摺動板２０を摺動させる構成としてもよい。かかるカセット使用状況表示機構は、弾性部材３４を伸張させた状態で摺動板２０をストッパ３３により係止した状態を装填済の状態として、「装填」（表示マーク２２ａ）を表示するように構成する。そして、現金装填カセットが現金自動取引装置に装着されることで、突出ピン３２がストッパ３３による係止を解除して、弾性部材３４の復元力により摺動板２０が前方向に移動するように構成されている。これにより、現金装填カセットの表示窓には、「出金」（表示マーク２２ｂ）と表示された状態となる。なお、摺動板２０の係止方法は限定されるものではない。
【００５８】
また、前記各実施形態では、レバー（受け部材）として、板状の部材により構成するものとしたが、レバーの形状等は限定されるものではなく、適宜設定することが可能である。また、レバーは、必要に応じて複数配設されていてもよい。
【図面の簡単な説明】
【００５９】
【図１】第１の実施形態の現金自動取引装置の外観を示す斜視図である。
【図２】第１の実施形態に係る現金装填カセットを示す斜視図であって、（ａ）は開閉扉が閉められた状態、（ｂ）は開閉扉が開いた状態を示している。
【図３】（ａ）および（ｂ）は第１の実施形態に係るカセット使用状況表示機構の一部を示す斜視図である。
【図４】現金自動取引装置への現金装填カセットの装着時の状況を示す図であって、（ａ）は縦断面図、（ｂ）は平面図である。
【図５】現金自動取引装置に現金装填カセットが装着された状況を示す図であって、（ａ）は縦断面図、（ｂ）は平面図である。
【図６】現金自動取引装置から現金装填カセットを取り外した状況を示す図であって、（ａ）は縦断面図、（ｂ）は平面図である。
【図７】第２の実施形態に係る現金自動取引装置のカセット使用状況表示機構を示す図であって、（ａ）は現金自動取引装置に現金装填カセットが装着された状況を示す縦断面図、（ｂ）は同平面図である。
【図８】（ａ）および（ｂ）は本発明にかかるカセット使用状況表示機構の変形例を示す図である。
【符号の説明】
【００６０】
１      現金自動取引装置
２      装置本体
７      カセット装着部
１０    現金装填カセット
１１    ホッパー（貨幣装填部）
１２    ケース（外殻部材）
１２ｄ  表示窓
１２ｅ  貫通孔
２０    摺動板（摺動部材）
２２    表示マーク
３１    レバー（受け部材）
３１ａ  第二の磁石
３２    突出ピン（突起部材）
３２ａ  第一の磁石
【図１】
2009070131.tif 000003
【図２】
2009070131.tif 000004
【図３】
2009070131.tif 000005
【図４】
2009070131.tif 000006
【図５】
2009070131.tif 000007
【図６】
2009070131.tif 000008
【図７】
2009070131.tif 000009
【図８】
2009070131.tif 000010